(57)【要約】【課題】交換機の輻輳解消を早期に図る。【解決手段】呼接続規制装置１の呼接続規制部１３が、パターンデータ記憶部１２からパターンデータを読み出し、各交換機２につき、パターンデータから、交換機の交換機ＩＤを含む列を読み出し、列から呼接続許可回線データＩＤを読み出し、呼接続許可回線データＩＤに対応づけられた呼接続許可回線データを呼接続許可回線データ記憶部１１から読み出し、呼接続許可回線データを該当の交換機２に送信する。各交換機２は、呼接続許可回線データに１以上含まれる各列につき、列に含まれる時間帯情報に該当する時間帯において、列に含まれる呼接続許可回線情報により示される回線から発信された呼のみを接続する。【選択図】図１
2013192153.tif 000002
【特許請求の範囲】
【請求項１】
複数の交換機における呼の接続を規制する呼接続規制装置であって、
前記各交換機は、当該交換機により受信される呼接続許可回線データに１以上含まれる各列につき、当該列に含まれる時間帯情報に該当する時間帯において、当該列に含まれる呼接続許可回線情報により示される回線から発信された呼のみを接続するものであり、
前記呼接続規制装置は、
１以上の各時間帯につき、当該時間帯を示す時間帯情報と、当該時間帯において呼の接続が許可される発信側の回線を示す呼接続許可回線情報と、を含む列を含む呼接続許可回線データが複数種類記憶され、かつ、当該各呼接続許可回線データに当該呼接続許可回線データを示す呼接続許可回線データＩＤが対応づけられた呼接続許可回線データ記憶部と、
前記各交換機につき、当該交換機の交換機ＩＤと、当該交換機により受信される呼接続許可回線データを示す呼接続許可回線データＩＤと、を含む列を含むパターンデータが記憶されるパターンデータ記憶部と、
前記パターンデータ記憶部から前記パターンデータを読み出し、前記各交換機につき、当該パターンデータから、当該交換機の交換機ＩＤを含む列を読み出し、当該列から呼接続許可回線データＩＤを読み出し、当該呼接続許可回線データＩＤに対応づけられた呼接続許可回線データを前記呼接続許可回線データ記憶部から読み出し、当該呼接続許可回線データを当該交換機に送信する呼接続規制部と
を備えることを特徴とする呼接続規制装置。
【請求項２】
前記各交換機は、当該交換機により受信される呼接続許可回線データとともに時間情報を受信した場合は、当該時間情報により示される１以上の時間帯のそれぞれにおいて前記呼接続許可回線情報に基づく呼の規制を行うものであり、
前記パターンデータ記憶部に記憶される各パターンデータの各列は、当該列に含まれる交換機ＩＤに該当する交換機に対して当該列に含まれる呼接続許可回線データＩＤに該当する呼接続許可回線データを適用すべき１以上の時間帯を示す時間情報を含み、
前記呼接続規制部は、
前記パターンデータ記憶部から前記パターンデータを読み出し、前記各交換機につき、当該パターンデータから、当該交換機の交換機ＩＤを含む列を読み出し、当該列から呼接続許可回線データＩＤと時間情報とを読み出し、当該呼接続許可回線データＩＤに対応づけられた呼接続許可回線データを前記呼接続許可回線データ記憶部から読み出し、当該呼接続許可回線データと当該時間情報とを当該交換機に送信する
ことを特徴とする請求項１記載の呼接続規制装置。
【請求項３】
前記各交換機は、当該交換機により受信される呼接続許可回線データとともに着信側の局番を受信した場合は、当該局番により示される回線へ着信する呼について前記呼接続許可回線情報に基づく呼の規制を行うものであり、
前記呼接続規制部は、呼接続許可回線データとともに前記局番を送信する
ことを特徴とする請求項１記載の呼接続規制装置。
【請求項４】
前記パターンデータ記憶部は、パターンデータを複数種類記憶し、
前記呼接続規制部は、前記複数種類のパターンデータから予め予約された１つのパターンデータを選択し読み出す
ことを特徴とする請求項１記載の呼接続規制装置。
【請求項５】
前記呼接続規制部は、前記呼接続規制装置に対して通信可能なユーザ端末から交換機ＩＤを含む情報開示要求を送信されたなら、当該交換機ＩＤに該当する交換機に送信した呼接続許可回線データまたは当該交換機に送信予定の呼接続許可回線データを当該ユーザ端末に送信する
ことを特徴とする請求項１記載の呼接続規制装置。
【請求項６】
呼の接続を規制する呼接続規制装置および当該呼接続規制装置とともに使用される交換機を含む電話システムであって、
前記各交換機は、当該交換機により受信される呼接続許可回線データに１以上含まれる各列につき、当該列に含まれる時間帯情報に該当する時間帯において、当該列に含まれる呼接続許可回線情報により示される回線から発信された呼のみを接続するものであり、
前記呼接続規制装置は、
１以上の各時間帯につき、当該時間帯を示す時間帯情報と、当該時間帯において呼の接続が許可される発信側の回線を示す呼接続許可回線情報と、を含む列を含む呼接続許可回線データが複数種類記憶され、かつ、当該各呼接続許可回線データに当該呼接続許可回線データを示す呼接続許可回線データＩＤが対応づけられた呼接続許可回線データ記憶部と、
前記各交換機につき、当該交換機の交換機ＩＤと、当該交換機により受信される呼接続許可回線データを示す呼接続許可回線データＩＤと、を含む列を含むパターンデータが記憶されるパターンデータ記憶部と、
前記パターンデータ記憶部から前記パターンデータを読み出し、前記各交換機につき、当該パターンデータから、当該交換機の交換機ＩＤを含む列を読み出し、当該列から呼接続許可回線データＩＤを読み出し、当該呼接続許可回線データＩＤに対応づけられた呼接続許可回線データを前記呼接続許可回線データ記憶部から読み出し、当該呼接続許可回線データを当該交換機に送信する呼接続規制部と
を備えることを特徴とする電話システム。
【請求項７】
呼の接続を規制する呼接続規制装置および当該呼接続規制装置とともに使用される交換機を含む電話システムの動作方法であって、
前記呼接続規制装置は、
１以上の各時間帯につき、当該時間帯を示す時間帯情報と、当該時間帯において呼の接続が許可される発信側の回線を示す呼接続許可回線情報と、を含む列を含む呼接続許可回線データが複数種類記憶され、かつ、当該各呼接続許可回線データに当該呼接続許可回線データを示す呼接続許可回線データＩＤが対応づけられた呼接続許可回線データ記憶部と、
前記各交換機につき、当該交換機の交換機ＩＤと、当該交換機により受信される呼接続許可回線データを示す呼接続許可回線データＩＤと、を含む列を含むパターンデータが記憶されるパターンデータ記憶部とを備え、
前記動作方法は、
前記呼接続規制装置の呼接続規制部が、前記パターンデータ記憶部から前記パターンデータを読み出し、前記各交換機につき、当該パターンデータから、当該交換機の交換機ＩＤを含む列を読み出し、当該列から呼接続許可回線データＩＤを読み出し、当該呼接続許可回線データＩＤに対応づけられた呼接続許可回線データを前記呼接続許可回線データ記憶部から読み出し、当該呼接続許可回線データを当該交換機に送信し、
前記各交換機は、当該交換機により受信される当該呼接続許可回線データに１以上含まれる各列につき、当該列に含まれる時間帯情報に該当する時間帯において、当該列に含まれる呼接続許可回線情報により示される回線から発信された呼のみを接続する
ことを特徴とする電話システムの動作方法。
【発明の詳細な説明】
【技術分野】
【０００１】
本発明は、呼接続規制装置、電話システムおよび電話システムの動作方法に関するものである。
【背景技術】
【０００２】
震災等が発生すると、安否確認等のための電話により、被災地の交換機が輻輳することがある。交換機がダウンするのを避けるべく、他の交換機は、被災地への呼については、数回から数十回に１回の割合でしか接続しないという規制を行う。
【先行技術文献】
【非特許文献】
【０００３】
【非特許文献１】総務省、「重要通信の高度化のあり方に関する論点整理（案）」、［平成２３年７月１７日検索］、インターネット＜URL：http://www.soumu.go.jp/main_sosiki/joho_tsusin/policyreports/chousa/jyuyout/pdf/080212_1_si5-8.pdf＞
【発明の概要】
【発明が解決しようとする課題】
【０００４】
しかし、呼の発信者は、今度は接続されるという期待をもって、再発信を行い、これにより、輻輳状態が長時間継続するという問題がある。
【０００５】
本発明は、上記の課題に鑑みてなされたものであり、その目的とするところは、交換機の輻輳解消を早期に図れる呼接続規制装置、電話システムおよび電話システムの動作方法を提供することにある。
【課題を解決するための手段】
【０００６】
上記の課題を解決するために、第１の本発明に係る呼接続規制装置は、複数の交換機における呼の接続を規制する呼接続規制装置であって、前記各交換機は、当該交換機により受信される呼接続許可回線データに１以上含まれる各列につき、当該列に含まれる時間帯情報に該当する時間帯において、当該列に含まれる呼接続許可回線情報により示される回線から発信された呼のみを接続するものであり、前記呼接続規制装置は、１以上の各時間帯につき、当該時間帯を示す時間帯情報と、当該時間帯において呼の接続が許可される発信側の回線を示す呼接続許可回線情報と、を含む列を含む呼接続許可回線データが複数種類記憶され、かつ、当該各呼接続許可回線データに当該呼接続許可回線データを示す呼接続許可回線データＩＤが対応づけられた呼接続許可回線データ記憶部と、前記各交換機につき、当該交換機の交換機ＩＤと、当該交換機により受信される呼接続許可回線データを示す呼接続許可回線データＩＤと、を含む列を含むパターンデータが記憶されるパターンデータ記憶部と、前記パターンデータ記憶部から前記パターンデータを読み出し、前記各交換機につき、当該パターンデータから、当該交換機の交換機ＩＤを含む列を読み出し、当該列から呼接続許可回線データＩＤを読み出し、当該呼接続許可回線データＩＤに対応づけられた呼接続許可回線データを前記呼接続許可回線データ記憶部から読み出し、当該呼接続許可回線データを当該交換機に送信する呼接続規制部とを備えることを特徴とする。
【０００７】
例えば、前記各交換機は、当該交換機により受信される呼接続許可回線データとともに時間情報を受信した場合は、当該時間情報により示される１以上の時間帯のそれぞれにおいて前記呼接続許可回線情報に基づく呼の規制を行うものであり、前記パターンデータ記憶部に記憶される各パターンデータの各列は、当該列に含まれる交換機ＩＤに該当する交換機に対して当該列に含まれる呼接続許可回線データＩＤに該当する呼接続許可回線データを適用すべき１以上の時間帯を示す時間情報を含み、前記呼接続規制部は、前記パターンデータ記憶部から前記パターンデータを読み出し、前記各交換機につき、当該パターンデータから、当該交換機の交換機ＩＤを含む列を読み出し、当該列から呼接続許可回線データＩＤと時間情報とを読み出し、当該呼接続許可回線データＩＤに対応づけられた呼接続許可回線データを前記呼接続許可回線データ記憶部から読み出し、当該呼接続許可回線データと当該時間情報とを当該交換機に送信する。
【０００８】
例えば、前記各交換機は、当該交換機により受信される呼接続許可回線データとともに着信側の局番を受信した場合は、当該局番により示される回線へ着信する呼について前記呼接続許可回線情報に基づく呼の規制を行うものであり、前記呼接続規制部は、呼接続許可回線データとともに前記局番を送信する。
【０００９】
例えば、前記パターンデータ記憶部は、パターンデータを複数種類記憶し、前記呼接続規制部は、前記複数種類のパターンデータから予め予約された１つのパターンデータを選択し読み出す。
【００１０】
例えば、前記呼接続規制部は、前記呼接続規制装置に対して通信可能なユーザ端末から交換機ＩＤを含む情報開示要求を送信されたなら、当該交換機ＩＤに該当する交換機に送信した呼接続許可回線データまたは当該交換機に送信予定の呼接続許可回線データを当該ユーザ端末に送信する
第２の本発明に係る電話システムは、呼の接続を規制する呼接続規制装置および当該呼接続規制装置とともに使用される交換機を含む電話システムであって、前記各交換機は、当該交換機により受信される呼接続許可回線データに１以上含まれる各列につき、当該列に含まれる時間帯情報に該当する時間帯において、当該列に含まれる呼接続許可回線情報により示される回線から発信された呼のみを接続するものであり、前記呼接続規制装置は、１以上の各時間帯につき、当該時間帯を示す時間帯情報と、当該時間帯において呼の接続が許可される発信側の回線を示す呼接続許可回線情報と、を含む列を含む呼接続許可回線データが複数種類記憶され、かつ、当該各呼接続許可回線データに当該呼接続許可回線データを示す呼接続許可回線データＩＤが対応づけられた呼接続許可回線データ記憶部と、前記各交換機につき、当該交換機の交換機ＩＤと、当該交換機により受信される呼接続許可回線データを示す呼接続許可回線データＩＤと、を含む列を含むパターンデータが記憶されるパターンデータ記憶部と、前記パターンデータ記憶部から前記パターンデータを読み出し、前記各交換機につき、当該パターンデータから、当該交換機の交換機ＩＤを含む列を読み出し、当該列から呼接続許可回線データＩＤを読み出し、当該呼接続許可回線データＩＤに対応づけられた呼接続許可回線データを前記呼接続許可回線データ記憶部から読み出し、当該呼接続許可回線データを当該交換機に送信する呼接続規制部とを備えることを特徴とする。
【００１１】
第３の本発明に係る電話システムの動作方法は、呼の接続を規制する呼接続規制装置および当該呼接続規制装置とともに使用される交換機を含む電話システムの動作方法であって、前記呼接続規制装置は、１以上の各時間帯につき、当該時間帯を示す時間帯情報と、当該時間帯において呼の接続が許可される発信側の回線を示す呼接続許可回線情報と、を含む列を含む呼接続許可回線データが複数種類記憶され、かつ、当該各呼接続許可回線データに当該呼接続許可回線データを示す呼接続許可回線データＩＤが対応づけられた呼接続許可回線データ記憶部と、前記各交換機につき、当該交換機の交換機ＩＤと、当該交換機により受信される呼接続許可回線データを示す呼接続許可回線データＩＤと、を含む列を含むパターンデータが記憶されるパターンデータ記憶部とを備え、前記動作方法は、前記呼接続規制装置の呼接続規制部が、前記パターンデータ記憶部から前記パターンデータを読み出し、前記各交換機につき、当該パターンデータから、当該交換機の交換機ＩＤを含む列を読み出し、当該列から呼接続許可回線データＩＤを読み出し、当該呼接続許可回線データＩＤに対応づけられた呼接続許可回線データを前記呼接続許可回線データ記憶部から読み出し、当該呼接続許可回線データを当該交換機に送信し、前記各交換機は、当該交換機により受信される当該呼接続許可回線データに１以上含まれる各列につき、当該列に含まれる時間帯情報に該当する時間帯において、当該列に含まれる呼接続許可回線情報により示される回線から発信された呼のみを接続することを特徴とする。
【発明の効果】
【００１２】
本発明によれば、呼接続規制装置の呼接続規制部が、パターンデータ記憶部からパターンデータを読み出し、各交換機につき、当該パターンデータから、当該交換機の交換機ＩＤを含む列を読み出し、当該列から呼接続許可回線データＩＤを読み出し、当該呼接続許可回線データＩＤに対応づけられた呼接続許可回線データを呼接続許可回線データ記憶部から読み出し、当該呼接続許可回線データを当該交換機に送信することで、各交換機は、当該交換機により受信される当該呼接続許可回線データに１以上含まれる各列につき、当該列に含まれる時間帯情報に該当する時間帯において、当該列に含まれる呼接続許可回線情報により示される回線から発信された呼のみを接続するので、その時間帯において、他の回線から発信された呼は接続されず、やがては諦めて発信を中止するので、着信側の交換機における輻輳解消を早期に図ることができる。
【図面の簡単な説明】
【００１３】
【図１】本実施の形態に係る呼接続規制装置を含む電話システムの概略構成を示す図である。
【図２】呼接続規制装置１の概略構成を示す機能ブロック図である。
【図３】呼接続許可回線データ記憶部１１に記憶される呼接続許可回線データの一例を示す図である。
【図４】パターンデータ記憶部１２に記憶されるパターンデータの一例を示す図である。
【図５】呼接続規制装置１の概略動作を示すシーケンス図である。
【図６】各交換機２Ｂの概略動作を示すフローチャートである。
【発明を実施するための形態】
【００１４】
以下、本発明の実施の形態について図面を参照して説明する。
【００１５】
図１は、本実施の形態に係る呼接続規制装置を含む電話システムの概略構成を示す図である。
【００１６】
電話システムは、呼接続規制装置１と、呼接続規制装置１と通信可能な複数の交換機２と、各交換機２に収容された複数の各回線に接続された電話機３とを備える。各回線には、固有の回線番号が割り当てられている。なお、交換機２の数は、図示の５台に限らない。
【００１７】
各交換機２は、電話交換網Ｎに含まれ、電話交換網Ｎは、図示しない通信設備を備える。
【００１８】
また、呼接続規制装置１は、インターネットなどの通信ネットワークを介して、呼接続規制装置１を保守する保守者により使用される通信端末（以下、保守者端末）４と、電話機３のユーザなどにより使用される通信端末（以下、ユーザ端末）５に対し、通信可能になっている。なお、保守者端末４の数は、図示の１台に限らない。また、ユーザ端末５の数も、図示の１台に限らない。
【００１９】
図２は、呼接続規制装置１の概略構成を示す機能ブロック図である。
【００２０】
呼接続規制装置１は、交換機２に送信される呼接続許可回線データが複数種類記憶される呼接続許可回線データ記憶部１１と、各交換機２にどの呼接続許可回線データを送信すべきかを示すパターンデータが記憶されるパターンデータ記憶部１２と、各交換機２にどの呼接続許可回線データを送信すべきかをパターンデータに基づいて求め、呼接続許可回線データ記憶部１１から該当の呼接続許可回線データを読み出し、該当の交換機２に送信する呼接続規制部１３とを備える。
【００２１】
図３は、呼接続許可回線データ記憶部１１に記憶される呼接続許可回線データの一例を示す図である。
【００２２】
呼接続許可回線データは、１以上の各時間帯につき列を含み、列は時間帯を示す時間帯情報と、時間帯において呼の接続が許可される発信側の回線を示す呼接続許可回線情報とを含む。また、呼接続許可回線データには呼接続許可回線データを示す呼接続許可回線データ識別情報（以下、識別情報を適宜、ＩＤという）が対応づけられている。
【００２３】
図３（ａ）、（ｂ）は共に、一日を構成する２４時間の各時間を１２等分した各５分の時間帯につき、該当の時間帯情報と呼接続許可回線情報を含む構成の呼接続許可回線データを示している。
【００２４】
図３（ａ）の呼接続許可回線データは、呼接続許可回線情報として、呼の接続が許可される発信側の回線番号の下一桁の番号になりえる２つの番号を有している。
【００２５】
図３（ｂ）の呼接続許可回線データは、呼接続許可回線情報として、呼の接続が許可される発信側の回線番号に含まれる局番を示す情報を有している。
【００２６】
図４は、パターンデータ記憶部１２に記憶されるパターンデータの一例を示す図である。
【００２７】
パターンデータは、各交換機２につき列を含み、列は交換機を示す交換機ＩＤと、交換機に送信される呼接続許可回線データを示す呼接続許可回線データＩＤとを含む。
【００２８】
パターンデータの各列は、例えば、列に含まれる交換機ＩＤに該当する交換機に対して該列に含まれる呼接続許可回線データＩＤに該当する呼接続許可回線データを適用すべき１以上の時間帯を示す時間情報を含む。
【００２９】
パターンデータは、パターンデータ自身を示す識別情報と、例えば、パターンデータによる呼の規制の状態がどのようであるかを示す状態情報を含む。状態情報は、パターンデータの生成当初は、このパターンデータによる呼の規制が未だ実行されていないことを示し、このパターンデータが呼の規制に使用されるものとして選択（いわゆる予約）された際には、予約されたことを示すように更新され、このパターンデータが呼の規制に使用される際には、このパターンデータによる呼の規制が実行されていることを示すように更新される。
【００３０】
図４（ａ）のパターンデータは、識別情報「Ｐ１」と、各交換機２の交換機ＩＤ「２−０１」、「２−０２」、「２−０３」、…のそれぞれについての列を含んでいる。
【００３１】
交換機ＩＤ「２−０１」を含む列は、呼接続許可回線データＩＤ「ＴＢ１」と、０時台から２３時台までの２４の時間帯を示す時間情報とを含んでいる。交換機ＩＤ「２−０２」を含む列は、呼接続許可回線データＩＤ「ＴＢ２」と、０時台から１１時台までの１２の時間帯を示す時間情報とを含んでいる。交換機ＩＤ「２−０３」を含む列は、呼接続許可回線データＩＤ「ＴＢ３」と、０時台から２３時台の２４の時間帯を示す時間情報とを含んでいる。
【００３２】
また、図４（ａ）のパターンデータの状態情報は、このパターンデータによる呼の規制が未だ実行されていないことを示すもの（「非実行」）となっている。
【００３３】
図４（ｂ）のパターンデータは、識別情報「Ｐ２」と、全交換機２を示す交換機ＩＤ「２−ＡＬＬ」を含む列を含んでいる。
【００３４】
この列は、呼接続許可回線データＩＤ「ＴＢ１」と、０時台から２３時台までの２４の時間帯を示す時間情報とを含んでいる。
【００３５】
また、図４（ｂ）のパターンデータの状態情報は、このパターンデータによる呼の規制が未だ実行されていないことを示すもの（「非実行」）となっている。
【００３６】
図５は、呼接続規制装置１の概略動作を示すシーケンス図である。
【００３７】
保守者端末４は、例えば、保守者の操作により、呼接続規制装置１に情報を送信し（Ｓ１）、かかる情報により生成された呼接続許可回線データが呼接続許可回線データ記憶部１１に格納され、かかる情報により生成されたパターンデータがパターンデータ記憶部１２に格納される。前述のように、各パターンデータの状態情報は、呼の規制が未だ実行されていないことを示している。
【００３８】
例えば、保守者は、パターンデータ記憶部１２に記憶されたパターンデータの中で現在での呼の規制について用いるのに最も適したパターンデータを示す識別情報（例えば、図４（ａ）に示すパターンデータと図４（ｂ）に示すパターンデータとがパターンデータ記憶部１２に記憶されており、図４（ａ）に示すパターンデータが最適な場合は、識別情報「Ｐ１」）を保守者端末４に入力し、これにより、保守者端末４は、識別情報を呼接続規制装置１に送信する（Ｓ３）。
【００３９】
パターンデータ記憶部１２においては、識別情報を含むパターンデータに含まれる状態情報は、パターンデータが予約されたことを示すように更新される（Ｓ５）。
【００４０】
ここで、例えば、１つの交換機２（以下、交換機２Ａという）において１つの局番（以下、局番Ｎという）を含む回線番号の回線を宛先とする通信が輻輳した場合、交換機２Ａは、局番Ｎを含む輻輳通知を呼接続規制装置１に送信する（Ｓ１１）。
【００４１】
呼接続規制部１３は、輻輳通知を受信したら、パターンデータ記憶部１２から、パターンデータが予約されたことを示す状態情報を含むパターンデータを検索し、この状態情報を、このパターンデータによる呼の規制が実行されていることを示すように更新する（Ｓ１３）。
【００４２】
次に、呼接続規制部１３は、パターンデータ記憶部１２から、このパターンデータを読み出し（Ｓ１５）、交換機２Ａ以外の各交換機２（以下、交換機２Ｂという）につき、このパターンデータから、交換機２Ｂの交換機ＩＤを含む列を読み出し、列から呼接続許可回線データＩＤと時間情報を読み出し、呼接続許可回線データＩＤに対応づけられた呼接続許可回線データを呼接続許可回線データ記憶部１１から読み出し（Ｓ１７）、呼接続許可回線データと局番Ｎと時間情報と予め設定された規制率Ｍ（例えば、９０％）を交換機２Ｂに送信する（Ｓ１９）。なお、時間情報は、例えば、輻輳が解除されるまでの全ての交換機２で２４時間発呼を規制する場合や、呼接続許可回線データの時間帯情報に時間情報の意味をもたせる場合などにおいては、必ずしも必要でない。後者の場合、時間帯情報は、例えば「１０時００分〜１０時０５分」のような時間帯を示すものとすればよい。時間情報の有無による処理の違いについては後述する。
【００４３】
各交換機２Ｂは、呼接続許可回線データと局番Ｎと時間情報を受信し、記憶しておく。
【００４４】
ここで、例えば、あるユーザ端末５は、電話機３のユーザなどの操作により、呼接続規制装置１に対し、その電話機３の回線を収容した交換機２Ｂの交換機ＩＤを含む情報開示要求を送信する（Ｓ２１）。
【００４５】
これにより、呼接続規制部１３は、当該交換機ＩＤに該当する交換機２Ｂに送信した呼接続許可回線データと局番Ｎと時間情報と規制率Ｍを、当該ユーザ端末５に送信する（Ｓ２３）。
【００４６】
ユーザ端末５は、呼接続許可回線データ等を受信し、表示する（Ｓ２５）。
【００４７】
これにより、表示された呼接続許可回線データ等を見たユーザは、どの時間に、どの回線から発信された呼の接続が許可されるのかを知ることができ、自分の使用する電話機３の回線についての呼の接続が許可されない時間帯においては、発信を行わないので、交換機２Ａにおける輻輳解消を早期に図ることができる。
【００４８】
呼接続許可回線データ等の開示は、例えば、ウェブサーバの技術を使用してなされる。
【００４９】
ユーザは、例えば、ウェブサーバの技術を使用して開示された情報により、各々の時間帯にて、許可される電話番号を知り、そのことで自分自身の電話番号が許可される時間帯まで発信を待つことができる。その結果、総発信個数を減らし、早期輻輳解消を図ることができる。
【００５０】
なお、呼接続規制部１３は、上記の２４時間発呼を規制する場合や、時間帯情報に時間情報の意味をもたせる場合などにおいて、時間情報を交換機２Ｂに送信しなかったなら、時間情報に基づく処理がなされないので、ユーザ端末５にも時間情報を送信しなくてよい。
【００５１】
また、ここでは、該当の交換機２Ｂに送信した呼接続許可回線データ等をユーザ端末５に送信したが、呼接続規制部１３は、情報開示要求を受信したなら、呼接続許可回線データ等を、交換機２Ｂに送信する前であっても、ユーザ端末５に送信するようにしてもよい。つまり、情報開示要求を送信されたなら、交換機に送信予定の呼接続許可回線データをユーザ端末に送信してもよい。
【００５２】
図６は、各交換機２Ｂの概略動作を示すフローチャートである。
【００５３】
交換機２Ｂは、自身に収容された回線から呼の接続要求を受けたなら、この呼が緊急に接続する必要のある呼か否か、つまり、接続要求に１１０番などを含む宛先の回線番号が含まれているか否かを判定する（Ｓ１０１）。
【００５４】
交換機２Ｂは、この呼が緊急に接続する必要のある呼でないなら（Ｓ１０１：ＮＯ）、呼接続規制装置１から上記のように送信される呼接続許可回線データ等を受信して記憶しているか否かを判定する（Ｓ１０３）。
【００５５】
交換機２Ｂは、呼接続許可回線データ等を記憶しているなら（Ｓ１０３：ＹＥＳ）、接続要求を受けた呼の着信先の回線番号が局番Ｎを含むか否かを判定する（Ｓ１０５）。
【００５６】
交換機２Ｂは、呼の着信先の番号が局番Ｎを含むなら（Ｓ１０５：ＹＥＳ）、現在時刻が、記憶した時間情報により示される時間帯に含まれるか否かを判定する（Ｓ１０７）。
【００５７】
交換機２Ｂは、現在時刻が時間情報により示される時間帯に含まれるなら（Ｓ１０７：ＹＥＳ）、呼接続許可回線データから現在時刻を含む時間帯を示す時間帯情報を含む列を検索し（Ｓ１０９）、列から呼接続許可回線情報を読み出し（Ｓ１１１）、接続要求を受けた呼が、呼接続許可回線情報により示される回線から発信された呼か否かを判定する（Ｓ１１３）。
【００５８】
例えば、交換機２Ｂは、呼接続許可回線情報が、呼の接続が許可される発信側の回線番号の下一桁の番号になりえる２つの番号を有しているなら、実際の発信側の回線番号の下一桁の番号が２つの番号のいずれかに一致するか否かを判定する（Ｓ１１３）。
【００５９】
または、例えば、交換機２Ｂは、呼接続許可回線情報が、呼の接続が許可される発信側の回線番号に含まれる局番を示す情報を有しているなら、実際の発信側の回線番号に含まれる局番が当該情報により示される局番に一致するか否かを判定する（Ｓ１１３）。
【００６０】
なお、交換機２Ｂは、時間情報を受信していなく、記憶していない場合は、ステップＳ１０７を省略し、ステップＳ１０９の判定を行う。
【００６１】
さて、交換機２Ｂは、接続要求を受けた呼が、呼接続許可回線情報により示される回線から発信された呼であるなら（Ｓ１１３：ＹＥＳ）、かかるステップＳ１１３の判定が初回であるという条件１、予め定めた計算式で計算した値（Ｓ１１３でＹＥＳと判定されかつ呼が接続されなかった回数を、Ｓ１１３でＹＥＳと判定された回数で除した値）が規制率Ｍより大きいという条件２の少なくとも一方が充足するか否かを判定する（Ｓ１１５）。
【００６２】
交換機２Ｂは、緊急に接続する必要のある呼であるなら（Ｓ１０１：ＹＥＳ）、または、呼接続許可回線データ等を記憶していないなら（Ｓ１０３：ＮＯ）、または、呼の着信先の回線番号に局番Ｎが含まれないなら（Ｓ１０５：ＮＯ）、または、現在時刻が時間情報により示される時間帯に含まれないなら（Ｓ１０７：ＮＯ）、または、接続要求を受けた呼が、または、ステップＳ１１５の条件１、２の少なくとも一方が充足するなら（Ｓ１１５：ＹＥＳ）、接続要求のあった呼を接続し（Ｓ１１７）、処理を終える。
【００６３】
一方、交換機２Ｂは、呼接続許可回線情報により示される回線から発信された呼でないなら（Ｓ１１３：ＮＯ）、または、ステップＳ１１５の条件１、２の両方が充足しないなら（Ｓ１１５：ＮＯ）、呼の接続処理を中止し（Ｓ１１９）、処理を終える。
【００６４】
したがって、本実施の形態によれば、呼接続規制装置１の呼接続規制部１３が、パターンデータ記憶部１２からパターンデータを読み出し、各交換機につき、当該パターンデータから、当該交換機の交換機ＩＤを含む列を読み出し、当該列から呼接続許可回線データＩＤを読み出し、当該呼接続許可回線データＩＤに対応づけられた呼接続許可回線データを呼接続許可回線データ記憶部１１から読み出し、当該呼接続許可回線データを当該交換機に送信することで、各交換機は、当該交換機により受信される当該呼接続許可回線データに１以上含まれる各列につき、当該列に含まれる時間帯情報に該当する時間帯において、当該列に含まれる呼接続許可回線情報により示される回線から発信された呼のみを接続するので、その時間帯において、他の回線から発信された呼は接続されず、やがては諦めて発信を中止するので、着信側の交換機２Ａにおける輻輳解消を早期に図ることができる。
【００６５】
また、呼接続規制装置１は、情報開示要求により、呼接続許可回線データ等をユーザ端末５に送信し、表示可能にするので、接続が許可されない時間帯においては、発信が行わないので、交換機２Ａにおける輻輳解消を早期に図ることができる。
【００６６】
また、パターンデータ記憶部１２に記憶される各パターンデータの各列は、当該列に含まれる交換機ＩＤに該当する交換機に対して当該列に含まれる呼接続許可回線データＩＤに該当する呼接続許可回線データを適用すべき１以上の時間帯を示す時間情報を含み、呼接続規制部１３は、パターンデータ記憶部１２からパターンデータを読み出し、各交換機２Ｂにつき、当該パターンデータから、当該交換機の交換機ＩＤを含む列を読み出し、当該列から呼接続許可回線データＩＤと時間情報とを読み出し、当該呼接続許可回線データＩＤに対応づけられた呼接続許可回線データを呼接続許可回線データ記憶部１１から読み出し、当該呼接続許可回線データと当該時間情報とを当該交換機に送信し、各交換機２Ｂは、当該交換機により受信される呼接続許可回線データとともに時間情報を受信した場合は、当該時間情報により示される１以上の時間帯のそれぞれにおいて呼接続許可回線情報に基づく呼の規制を行うので、呼接続許可回線情報に基づく呼の規制を行う時間帯と、そうでない時間帯を設けることができる。
【００６７】
また、呼接続規制部１３は、呼接続許可回線データとともに着信側の局番Ｎを送信し、各交換機２Ｂは、当該交換機により受信される呼接続許可回線データとともに局番Ｎを受信した場合は、当該局番Ｎにより示される回線へ着信する呼について呼接続許可回線情報に基づく呼の規制を行うので、呼接続許可回線情報に基づく呼の規制を所望の回線へ着信する呼に限って行うことができる。
【００６８】
また、パターンデータ記憶部１２は、パターンデータを複数種類記憶し、呼接続規制部１３は、複数種類のパターンデータから予め予約された１つのパターンデータを選択し読み出すので、呼接続許可回線情報に基づく呼の規制のパターンを使い分けることができる。
【符号の説明】
【００６９】
１…呼接続規制装置
２、２Ａ、２Ｂ…交換機
３…電話機
４…保守者端末
５…ユーザ端末
１１…呼接続許可回線データ記憶部
１２…パターンデータ記憶部
１３…呼接続規制部
【図１】
2013192153.tif 000003
【図２】
2013192153.tif 000004
【図３】
2013192153.tif 000005
【図４】
2013192153.tif 000006
【図５】
2013192153.tif 000007
【図６】
2013192153.tif 000008